(57)【要約】【課題】回路基板に接続された端子の接続部を半田接続の確認が可能で、かつ確認後はこの接続部を保護することが可能な回路基板用電気コネクタを提供することを課題とする。【解決手段】ハウジング１０とスライダ３０が回路基板と平行に平型導体Ｆを載置する載置面１１Ａ，３７Ａを有し、ハウジングは平型導体を前進可能とする挿入空間１６を有し、端子は接触部２１Ａが挿入空間に配され、接続部２３が前後方向で対向せるハウジングの二つの壁面から延出して配列され、スライダ３０は、ハウジングの上面を覆う上壁３１と前壁３２とを有し、平型導体Ｆを載置面へ載置可能な開位置と載置面上の平型導体を端子の接触部へ圧する閉位置の間で前後方向に可動となっていて、回路基板の面に対して直角方向から見たときに、スライダ３０は開位置にて、列をなす上記端子の接続部２３を露呈せしめ、閉位置にて接続部２３を上壁３１と前壁３２で覆う。【選択図】図１
2010218698.tif 000002
【特許請求の範囲】
【請求項１】
回路基板上に配置される電気絶縁材製のハウジングと、該ハウジングに保持されて平型導体と接触する接触部及び回路基板の対応回路部に接続される接続部が形成された複数の端子と、上記ハウジングにより回路基板と平行な方向に可動に支持されているスライダとを有している回路基板用電気コネクタにおいて、
ハウジングとスライダの少なくとも一方が回路基板の面と平行に平型導体の被接続部分たる前端部分を載置する載置面を有し、
ハウジングは上記載置面よりも前方に向け上記平型導体の前端部分を前進可能とする挿入空間を有し、
端子は接触部が上記挿入空間に配され、接続部が前後方向で対向せるハウジングの二つの壁面の少なくとも前壁面から延出して配列され、
スライダは、上記ハウジングの上面を覆う上壁と該上壁の前縁から垂下する前壁とを有し、平型導体を上記載置面へ載置可能な開位置と載置面上の平型導体を端子の接触部へ圧する閉位置の間で上記前後方向に可動となっていて、
回路基板の面に対して直角方向から見たときに、上記スライダは開位置にて、列をなす上記端子の接続部を露呈せしめ、閉位置にて該接続部を上記上壁と前壁で覆うことを特徴とする回路基板用電気コネクタ。
【請求項２】
スライダは、載置面上に配された平型導体の被係止部と係止する係止部が設けられていて、スライダの閉位置への移動時に、該平型導体が上記係止部によって索引されスライダと共に移動するようになっていることとする請求項１に記載の回路基板用電気コネクタ。
【請求項３】
スライダの前壁は下面が回路基板の面に接面もしくは近接し、スライダが閉位置にあるときに、ハウジングの前壁面から延出している端子の接続部を収める溝部が形成されていることとする請求項１に記載の回路基板用電気コネクタ。
【請求項４】
端子の接続部はハウジングの前壁面と後壁面からそれぞれ列をなして延出しており、スライダは端子の接続部の配列方向両側でハウジングの側方に位置しかつ後方に延びる延出部を有していると共に、両延出部を連結する後端部をも有し、スライダが開位置にあるとき、該後端部が上記後壁面における接続部よりも後方に位置していることとする請求項１に記載の回路基板用電気コネクタ。
【請求項５】
スライダの後端部は、スライダが閉位置にあるとき、ハウジングの後壁面における接続部を上方から覆う位置にあることとする請求項４に記載の回路基板用電気コネクタ。
【請求項６】
スライダの後端部は下面が回路基板の面に接面もしくは近接し、スライダが閉位置にあるときに、ハウジングの後壁面から延出している端子の接続部を収める溝部が形成されていることとする請求項５に記載の回路基板用電気コネクタ。
【請求項７】
スライダの後端部は、該後端部の上面が載置面と同じ高さレベルの面を形成し、スライダが閉位置にあるとき、ハウジングの後壁面における端子の接続部の後方で該接続部に近接して位置することとする請求項４に記載の回路基板用電気コネクタ。
【請求項８】
スライダは、載置面上に配された平型導体の側端縁に対して端子配列方向における位置規制を行なう規制側面を有し、該規制側面には上記平型導体の側縁上面に係止して該平型導体の浮き上り防止をする突起が設けられていることとする請求項１ないし請求項７のうちの一つに記載の回路基板用電気コネクタ。
【請求項９】
スライダは、該スライダの上壁の少なくとも外面にシールド板が設けられていることと
する請求項１ないし請求項８のうちの一つに記載の回路基板用電気コネクタ。
【請求項１０】
シールド板はスライダの前壁の外面にも及んでいることとする請求項９に記載の回路基板用電気コネクタ。
【発明の詳細な説明】
【技術分野】
【０００１】
本発明は、回路基板用電気コネクタ、特に、平型導体が接続されこの平型導体と端子との接圧を高めるスライダを有する電気コネクタに関する。
【背景技術】
【０００２】
この種のコネクタとしては、特許文献１に開示されているコネクタが知られている。
【０００３】
この特許文献１の電気コネクタは回路基板上に配されて、該回路基板の面と平行な方向で平型導体が接続される。ハウジングは上記平型導体の挿入を可能とする開口部が後面に形成されていて、ハウジングにより保持されている端子は、上記開口部に位置して二股状をなして上下に位置する接触腕と支持腕を有していて、両腕の間に上記平型導体を受け入れるようになっている。支持腕によって支持された平型導体はその上方に位置する接触腕に対し下方から弾性的に接触する。
【０００４】
また、上記開口部には、テーパ状に厚みが変化したスライダがその肉薄側から挿入されるようになっており、該スライダの挿入によって平型導体をもち上げて接触腕へ押圧し、該平型導体と接触腕との接圧を高めるようになっている。
【０００５】
上記端子はハウジングの前面から接続部が延出していて回路基板の対応回路部と半田接続されるようになっている。上記ハウジングには該ハウジングの上面そして後面を覆うシールド板が取り付けられているが、該シールド板はハウジングの前面には及んでおらず、端子の接続部は露呈している。
【先行技術文献】
【特許文献】
【０００６】
【特許文献１】特開２００３−１６８５２３
【発明の概要】
【発明が解決しようとする課題】
【０００７】
特許文献１のコネクタにあっては、接続された平型導体は端子の接続部とは反対側となる後方に延びており、又、スライダも後方から開口部へ挿入されるので、平型導体の接続前でも接続後でも、端子の接続部は平型導体そしてスライダに覆われることがなく、常に露呈している。
【０００８】
回路基板上にコネクタが配されて端子の接続部が回路基板の対応回路部に半田接続される際、半田作業、そして半田状況の目視等による検査の都合上、上記接続部はハウジング等により覆われておらず露呈していることが求められる。この点、特許文献１のコネクタは、半田状況が容易に確認できる。
【０００９】
しかしながら、特許文献１のコネクタの接続部は、常時、すなわち端子の接続部の半田接続後も、突部形状をなしてそのまま露呈していて、保護されていなかったため、接続部が意図せずに触れられたり、接続部に塵埃等が付着したり、電磁ノイズの影響を受ける、あるいは与える虞れがあった。
【００１０】
この点で、特許文献１のコネクタは、接続部の保護がなされておらず、改善が求められる。
【００１１】
本発明は、このような事情に鑑み、端子の接続部における半田接続時には、上記接続部が露呈していてその半田状況が容易に確認でき、その後は、スライダの移動によって、上記接続部を覆って塵埃等から十分な保護が行える回路基板用電気コネクタを提供することを課題とする。
【課題を解決するための手段】
【００１２】
本発明に係る回路基板用電気コネクタは回路基板上に配置される電気絶縁材製のハウジングと、該ハウジングに保持されて平型導体と接触する接触部及び回路基板の対応回路部に接続される接続部が形成された複数の端子と、上記ハウジングにより回路基板と平行な方向に可動に支持されているスライダとを有している。
【００１３】
かかる回路基板用電気コネクタにおいて、本発明では、ハウジングとスライダの少なくとも一方が回路基板の面と平行に平型導体の被接続部分たる前端部分を載置する載置面を有し、ハウジングは上記載置面よりも前方に向け上記平型導体の前端部分を前進可能とする挿入空間を有し、端子は接触部が上記挿入空間に配され、接続部が前後方向で対向せるハウジングの二つの壁面の少なくとも前壁面から延出して配列され、スライダは、上記ハウジングの上面を覆う上壁と該上壁の前縁から垂下する前壁とを有し、平型導体を上記載置面へ載置可能な開位置と載置面上の平型導体を端子の接触部へ圧する閉位置の間で上記前後方向に可動となっていて、回路基板の面に対して直角方向から見たときに、上記スライダは開位置にて列をなす上記端子の接続部を露呈せしめ、閉位置にて該接続部を上記上壁と前壁で覆うことを特徴としている。
【００１４】
このような構成の本発明によれば、スライダが開位置にある状態で、端子の接続部は回路基板の対応回路部に半田接続され、上方から見て露呈しているこの接続部は、目視でも接続の状況が確認可能であり、半田接続が良好であることの確認や修理は容易である。
【００１５】
半田接続の状況の確認後、平型導体は端子の接触部との接触位置にもたらされ、スライダが閉位置に向け前方へ移動することによって、上記接触部との接圧を高める。この平型導体の接触位置への移動は、スライダへの閉位置への移動前にスライダの移動と別途行なってもよいが、平型導体がスライダの閉位置への移動によって該スライダによって引き込まれて上記接触位置へ移動するようにすることもできる。
【００１６】
スライダが閉位置へ移動すると、ハウジングの前壁面に位置する端子の接続部はスライダによって覆われて、異物や塵埃の付着、外力等から保護される。
【００１７】
本発明において、スライダは、載置面上に配された平型導体の被係止部と係止する係止部が設けられていて、スライダの閉位置への移動時に、該平型導体が上記係止部によって索引されスライダと共に移動するようになっていることが好ましい。こうすることにより、平型導体が載置面へ配置されれば、スライダの閉位置への移動により、自動的に端子の接触部との接触位置へもたらされると共に、接触部に対する接圧も高められる。
【００１８】
平型導体をその被係止部でスライダの係止部と係止させると、端子配列方向両端側に設けられた二つの係止部によって、平型導体は幅方向（端子配列方向）に引張られて、載置面に密着した状態で平坦面をなすようになり、端子との接触位置へ正確に索引される。
【００１９】
本発明において、スライダの前壁は下面が回路基板の面に接面もしくは近接し、スライダが閉位置にあるときに、ハウジングの前壁面から延出している端子の接続部を収める溝部が形成されていることが好ましい。こうすることにより、接続部は上記溝部内に収められて回路基板と相俟ってほぼ全面的に包囲されることとなり、上方からのみならず側方からも保護される。
【００２０】
本発明において、端子の接続部はハウジングの前壁面と後壁面からそれぞれ列をなして延出しており、スライダは端子の接続部の配列方向両側でハウジングの側方に位置しかつ後方に延びる延出部を有していると共に、両延出部を連結する後端部をも有し、スライダが開位置にあるとき、該後端部が上記後壁面における接続部よりも後方に位置しているようにすることができる。
【００２１】
コネクタがハウジングの前壁面のみならず後壁面から延出している場合、接続された平型導体は後方に延びるので、後壁面から延出する端子の接続部は、上方に位置する上記平型導体により覆われるので、これによって上方から保護を受けることとなる。しかし、平型導体は、通常、回路基板よりも比較的大きな間隔をなしているので、この平型導体のみでは側方からの塵埃に対する保護を確保することが完全とは言えない。そこで、スライダが後端部を有していることとすれば、後方あるいは側方からの保護を得ることとなる。
【００２２】
かかる場合、スライダの後端部は、スライダが閉位置にあるとき、ハウジングの後壁面における接続部を上方から覆う位置にあることとすれば、平型導体と回路基板との間隔が大きくとも、接続部はこの後端部によって十分に保護される。
【００２３】
スライダが閉位置にあるときに、ハウジングの後壁面から延出する接続部を上方から覆う位置にもたらされることとされるスライダの後端部は下面が回路基板の面に接面もしくは近接し、スライダが閉位置にあるときに、ハウジングの後壁面から延出している端子の接続部を収める溝部が形成されているようにすることができる。こうすると、端子の接続部は、溝部に収められた状態で、溝部の面と回路基板とによって全面的に包囲され、その保護をさらに高める。
【００２４】
スライダの後端部は、上記接続部の上方に位置するようにできないときには、該後端部の上面が載置面と同じ高さレベルの面を形成し、スライダが閉位置にあるとき、ハウジングの後壁面における端子の接続部の後方で該接続部に近接して位置するようにすることが望まれる。こうすることにより、載置面と同じ高さレベルの上記後端部の上面は該積載面の延長上に位置するので、平型導体は平坦面をなして接続部を上方から覆うこととなり、該平型導体は接続部に対して比較的近く位置し、かくして、端子の接続部に対する上方からの保護はこの平型導体によって得ることができる。
【００２５】
本発明において、スライダは、載置面上に配された平型導体の側端縁に対して端子配列方向における位置規制を行なう規制側面を有し、該規制側面には上記平型導体の側縁上面に係止して該平型導体の浮き上り防止をする突起が設けられていることが望ましい。
【００２６】
こうすることにより、平型導体は幅方向での位置決めは、単に載置面上へ配するだけで規制側面によってなされ、その際、平型導体の側端縁が突起により浮き上がりが防止されるので、スライダの閉位置への移動によって端子の接触部との接触位置にもたらされる際に、平型導体は高さ方向においても正規位置に保たれて、円滑に上記接触位置へ移動する。
【００２７】
本発明において、スライダは、該スライダの上壁の少なくとも外面にシールド板が設けられているようにすることができる。こうすることにより、端子の接続部、すなわち回路基板との接続部分は、シールド効果を得ることができ、電気的に外面から保護される。
【００２８】
本発明において、上記シールド板はスライダの前壁の外面にも及んでいることが好ましい。こうすることにより、接続部はさらに良好なシールド効果を得る。
【発明の効果】
【００２９】
本発明は、以上のように、一つのスライダを操作するだけで、このスライダにより端子の接続部を覆い、あるいは、接続部が前後して二列に位置していても、遮蔽部と平型導体が相俟って両列の接続部を覆うことができ、簡単な構成、単純な操作で、全接続部を外部から、より完璧な形で保護することができる。
【図面の簡単な説明】
【００３０】
【図１】本発明の第一実施形態の電気コネクタとこれに接続される平型導体を、スライダが開位置にあり、平型導体の接続前の状態で示す破断斜視図である。
【図２】図１のコネクタに平型導体を載置し、スライダが開位置にある状態のコネクタの破断斜視図である。
【図３】スライダが閉位置まで移動したときの図１のコネクタの破断斜視図である。
【図４】図３のコネクタの縦断面図である。
【図５】第二実施形態のコネクタを示し、スライダが閉位置にあるときの縦断面図である。
【図６】第三実施形態のコネクタを示し、スライダが閉位置にあるときの破断斜視図である。
【図７】第四実施形態のコネクタを示し、スライダが閉位置にあるときの破断斜視図である。
【発明を実施するための形態】
【００３１】
以下、添付図面の図１ないし図１０にもとづき、本発明の実施形態を説明する。            
【００３２】
＜第一実施形態＞
図１は第一実施形態のコネクタとこれに接続される平型導体を接続前の状態で示す一部破断斜視図である。この図１では、後述のスライダは開位置にある。この実施形態におけるコネクタは、ハウジングの前壁面と後壁面のいずれからも複数の端子の接続部が延出していて、それぞれ列をなしている形式のコネクタである。
【００３３】
図１において、コネクタ１は、回路基板Ｐ上に配されるハウジング１０とこれに植設された複数の端子２０と、上記ハウジング１０に案内されて移動可能なスライダ３０とを有している。ここで、ハウジング１０は電気絶縁材で作られているが、スライダ３０は、その材料は限定されず、電気絶縁材で作られることは勿論であるが、端子と非接触であることを前提として金属であってもよいし、電気絶縁材で作られ金属板が取り付けられていてもよい。
【００３４】
ハウジング１０は、図１において、後部（右半部）を形成する薄板部１１と前部（左半部）を形成する厚板部１２とを有している。薄板部１１と厚板部１２との境界はハウジング上面に段部を形成している。上記ハウジング１０には、上記薄板部１１の上面に開口し上記厚板部１２の内部に進入して条孔をなす端子保持溝１３が前後に貫通して形成されている。この端子保持溝１３はその延びる方向に対して直角方向に定間隔で複数配列形成されている。さらに、上記ハウジング１０の厚板部１２には、薄板部１１の上面をそのまま延長して進入した水平面を下面とするスリット１４が形成されている。このスリット１４は、前後方向で、上記厚板部１２の中間位置まで延びている。このスリット１４は、複数の端子保持溝１３の配列方向で、配列範囲を越える範囲にわたり連続して形成されており、すべての端子保持溝１３と連通している。上記スリット１４は平型導体Ｆの接続部分を挿入する空間を形成するものであり、特にスリットでなくとも平型導体の接続部分の挿入が可能であればよい。
【００３５】
上記ハウジング１０の薄板部１１の上面は、平型導体Ｆを載置するための載置面１１Ａを形成する。上記ハウジング１０は、上記配列方向両側の上面に、上記薄板部１１の上面をなす上記載置面１１Ａのレベルよりも若干低くなった面が形成されており、この面は厚板部１２の側方への同一面をなして延び、スライダ３０に対する側案内面１５をなしている。又、上記ハウジング１０の厚板部１２の上面はスライダ３０に対して上案内面１６を形成している。かくして、上記スライダ３０は、側案内面１５と上案内面１６とが相俟って、上記配列方向での位置を規制されつつ端子保持溝１３が延びる方向に可動案内される。
【００３６】
さらに、上記ハウジング１０には、後述のスライダ３０の側壁の外面位置で垂立するロック腕１７が設けられている。このロック腕１７は、ハウジング１０と一体的に同一材料で作られていても、金属材から別体として作られていてハウジング１０に固定されていてもよい。
【００３７】
上記ハウジング１０の各端子保持溝１３には、端子２０が保持されている。端子２０は全体としてクランク状をなして延びていて、ほぼ水平に延び端子保持溝１３内に位置する水平腕部２１と、ハウジング外に突出し下向に向け屈曲された連結部２２と、該連結部２２から屈曲して水平方向に延びる接続部２３とを有している。上記水平腕部２１の前端部（図１にて左端部）には、上記端子保持溝１３から上方に突出するように山型状の接触部２１Ａが形成されている。本実施形態では、全数の端子が同一形状をなしているが、複数の端子保持溝１３に対し、一つおきに、該端子保持溝１３の長手方向たる前後方向で、交互に逆方向から挿入されており、図示のように、前方の側（図１で左側）では、一つおきの端子保持溝１３から上記接続部２３が前方に延出している。後方の側（図１で右側）では、上記前方の列として異なる一つおきの端子保持溝１３から上記前方の側の接続部２３とは反対方向に対向する方向、すなわち後方に接続部２３が延出している。
【００３８】
このように、端子２０は一つおきに上記端子保持溝１３の長手方向で反対方向に向いて配置されているが、これらすべての端子２０の接触部２１Ａは、本実施形態では、上記長手方向で同じ位置にある。勿論、上記前後方向でずらして配置されていてもよい。            
【００３９】
スライダ３０は、本実施形態では、ハウジング１０と同様な電気絶縁材で作られており、該スライダ３０が開位置にある状態を示す図１にて、ハウジング１０の厚板部１２上に位置する上壁３１と、該上壁３１の前端部（左端部）から垂下する前壁３２と、端子配列方向で上記上壁３１の両側から後方に延出する側壁３３と、両側の側壁３３の後端（右端）同士を連結する板状の後端部３４とを有している。このような上壁３１、前壁３２、側壁３３、後端部３４を有するスライダ３０は、上方から見た場合、全体として枠状をなし、中央部に上下に貫通した窓状部３５を形成する。この窓状部３５内には、ハウジング１０の側案内面１５の部分を除いて、該ハウジング１０の薄板部１１を収めている。
【００４０】
上記上壁３１は、ハウジング１０の厚板部１２の上面と全面的に接面する大きさを有している。この上壁３１の前端から垂下する前壁３２は、ハウジング１０の前端面に沿って垂下し下面が上記回路基板Ｐの面に接面もしくは至近している。この上壁３１及び前壁３２は、スライダ３０が前方の閉位置に移動したときに、上記ハウジング１０の前方の側（図にて左方の側に位置する前壁面）から前方に延出する端子２０の接続部２３の列を覆う遮蔽部３６を形成する。上記前壁３２の下面は回路基板Ｐに対する遮蔽面３２Ａを形成し、該遮蔽面３２Ａそして前壁３２の後面には上記端子２０の接続部２３そして連結部２２を収める溝部３２Ｂ（図３参照）がＬ字状に形成されている。図１において、スライダ３０は開位置にあり、上記前方の側の接続部２３は上記遮蔽面３２Ａに形成された溝部を貫通するように通ってスライダ３０外へ前方に延びている。
【００４１】
上記上壁３１は、端子配列方向にて、両側が上記ハウジング１０の厚板部１２に沿って垂下しており、ここから後方に向け端子保持溝１３の長手方向に沿って側壁３３が設けられている。該側壁３３の下部には、上記端子配列方向で内側に上記側壁３３に沿って延びる側板部３７が形成されている。このようにして、側壁３３と側板部３７は、断面がＬ字状をなし上壁３１から上記前後方向に延びる延出部３８を形成する。該延出部３８の側壁３３は、平型導体Ｆの側縁に当接して端子配列方向、すなわち平型導体Ｆの幅方向で、該平型導体Ｆを位置規制する規制側面３３Ａを形成している。上記側板部３７の上面には、上方に向け突出する円錐台状頭部を有し下部が円柱状の係止部３９が平型導体Ｆの幅方向両側の位置に一対設けられており、これに対応して平型導体Ｆに形成された孔状の被係止部Ｆ１と係合するようになっている。この係止部３９は、平型導体Ｆの長手方向（前後方向）そして幅方向での位置を定める機能を有している。これと共に、スライダ３０が前方へ移動するとき平型導体Ｆを一緒に前方へ移動させる機能を有しているが、幅方向の両端位置にある二つの係止部３９が平型導体Ｆの被係止部に係止すると、窓状部３５上に位置する該平型導体Ｆは幅方向に張られて撓むことなく載置面に密着した状態で平坦面をなす。このように形成される上記側壁３３はその底面が回路基板に接面もしくは至近して位置している。
【００４２】
さらに、上記スライダ３０は側壁３３の外面に、前後して位置して縦方向に延びる二つのロック溝３３Ｃ−１，３３Ｃ−２が形成されている。これらのロック溝３３Ｃ−１，３３Ｃ−２は、スライダ３０が開位置そして閉位置にあるときに、それぞれ上記ロック腕１７と係合するためのものであり、ロック溝３３Ｃ−１，３３Ｃ−２の間の距離はスライダ３０の開位置から閉位置への移動距離に相当する。
【００４３】
上記側板部３７は上記ハウジング１０の側案内面１５上に位置して、本実施形態の場合、この側板部３７の上面がハウジング１０の薄板部１１の上面たる載置面１１Ａとほぼ同じレベルとなっており、ここでも他の載置面３７Ａを形成し、上記載置面１１Ａと該他の載置面３７Ａと相俟って、載置された平型導体Ｆを支持する。本発明では、ハウジング１０そしてスライダ３０のいずれか一方に載置面を形成することとしてもよい。ハウジング１０の薄板部１１の上面と上記スライダ３０の側板部３７の上面との間で、両者に高さの差が設けられているときには、高い方の面が載置面を形成する。
【００４４】
両側の側壁３３を連結する後端部３４は、上面が上記延出部３８の側板部３７の上面と同一レベルにあり、該側板部３７と相俟って一つの平坦面を形成している。すなわち、後端部３４の上面は、高さ方向では、載置面と同一レベルに位置している。上記後端部３４の内縁３４Ａはスライダ３０の窓状部３５の後縁をなし、スライダ３０が開位置にある図１の状態では、後方（図１にて右方）の側の端子２０の接続部２３が窓状部３５内で上方に向け露呈している。上記後端部３４の上記内縁３４Ａが位置する内面には、端子配列方向にて、端子２０の接続部２３に対応する位置に、該接続部２３そして連結部２２を収容する溝部３４Ｂが形成されている。かくして、後端部３４は、スライダ３０が閉位置に向け前方へ移動したときに後方の側の接続部２３を覆う、後方の遮蔽部を形成する。
【００４５】
上記後端部３４の下面は、回路基板Ｐの面と接面しもしくは近接している。
【００４６】
このように、本実施形態では、スライダ３０の前壁３２、側壁３３、後端部３４の下面が回路基板Ｐに接面もしくは至近していることで、スライダ３０が閉位置にくると、ハウジング１０及び該ハウジング１０から延出する端子２０の接続部２３は、回路基板の面とスライダ３０によって四方から囲まれ、不用意な接触、周囲側面からの塵埃等から良好に保護される。
【００４７】
このような本実施形態のコネクタは、次の要領で使用される。
【００４８】
（１）図１に示されるように、スライダ３０が後方位置、すなわち開位置にあって、前方のロック溝３３Ｃ−１がハウジング１０のロック腕１７と係合している状態で、コネクタ１を回路基板Ｐ上の所定位置に配置して、複数の端子２０が前後で二列をなす接続部２３が上方から見える状態で対応回路部に位置せしめる。しかる後、この接続部２３を加熱して対応回路部に半田接続をする。スライダ３０が開位置にあるので、上方から見たときに上記前後の二列の接続部２３は露呈しており、加熱が効果的に行なわれるほか半田接続の状態は、上方から目視で十分に確認でき修正もできる。
【００４９】
（２）二列の接続部２３の半田接続が良好に行なわれたことを確認後、図２に示されるように、平型導体Ｆをハウジング１０の載置面１１Ａそしてスライダ３０の載置面３７Ａ上の所定位置に配する。この所定位置は、平型導体Ｆの孔状の被係止部Ｆ１をスライダ３０の円柱状の係止部３９に嵌合させることにより、自動的に確保できる。すなわち、平型導体Ｆはその幅方向でも、長手方向たる前後方向でも所定位置にもたらされ、かつ幅方向で撓むことなく平坦面をなし載置面１１Ａそして載置面３７Ａと密着する。
【００５０】
（３）しかる後、図３そして図４に見られるように、スライダ３０を前方へ移動して閉位置にもたらす。スライダ３０は、その係止部３９が平型導体Ｆの被係止部Ｆ１と係合しているので、平型導体Ｆを前方へ引き、該平型導体Ｆの前端側をハウジング１０のスリット１４内に引き込んで、端子２０の接触部２１Ａに対して平型導体Ｆの対応回路部を弾性圧をもって接触せしめる。この閉位置では、スライダ３０のロック溝３３Ｃ−２からハウジング１０のロック腕１７と係合するようになる。図４からも判るように、後方の遮蔽部をなすスライダ３０の後端部３４が後方（図４にて右側）の列の接続部２３を覆い、前方の遮蔽部３６が前方（図４にて左側）の列の接続部２３を覆うようになる。上記後端部３４は、該後端部３４の内面に形成された溝部３４Ｂに後方の列の接続部２３を、そしてさらには連結部２２をも収め、接面もしくはきわめて至近した位置で接続部２３と連結部２２を覆うこととなる。前方の遮蔽部３６は、前方の列の接続部２３（そして連結部）を閉じた空間内に位置させるようにして、これらの接続部２３を覆う。
【００５１】
（４）スライダ３０は、側方では側壁３３によって、端子２０を保持するハウジング１０を覆っているので、上記閉位置では、上記遮蔽部と協働して該ハウジング１０を完全に四方から包囲して保護する。さらに、ハウジング１０の載置面１１Ａそしてスライダ３０の載置面３７Ａ上に平型導体Ｆが載置されて、スライダ３０の窓状部３５内に位置するハウジング１０部分、そしてそこに位置する端子２０の部分が平型導体Ｆによって保護されることとなる。
【００５２】
＜第二実施形態＞  
図５に示される第二実施形態では、スライダ３０が閉位置にあっても、右方、すなわち後方の接続部２３の列が後端部３４によって上方から覆われていなくともよいという点に特徴がある。換言すれば、第二実施形態では、後端部３４は上方の遮蔽部を形成しない。なお、左方、すなわち前方の接続部２３の列が遮蔽部３６によって形成される空間内に位置して該遮蔽部３６で覆われる点では第一実施形態と同じである。
【００５３】
図５において、スライダ３０が閉位置にきたとき、後端部３４は端子２０の接続部２３に近接して位置して後方から該接続部２３を保護しているものの、スライダ３０の後端部３４によっては上方から覆って保護をしてはいない。しかし、上方には、第一実施形態の場合と同様に、ハウジング１０の載置面１１Ａそしてスライダ３０の載置面３７Ａ上に平型導体Ｆが載置されていて、該平型導体Ｆによってスライダ３０の窓状部３５が上方から覆われており、したがって、この窓状部３５内に位置する上記接続部２３は上記後端部３４と載置面３７Ａ上の平型導体Ｆによって保護されることとなる。
【００５４】
本実施形態では、さらに、載置面上に配された平型導体が該載置面から浮き上がらないように突起３３Ｂを有している。図５にて、側壁３３の規制側面３３Ａに突起３３Ｂが設けられている。
【００５５】
この突起３３Ｂは、スライダ３０の載置面３７Ａ上へ所定位置に載置された平型導体Ｆの側縁部上面に係止する位置に設けられており、該突起３３Ｂの上面は平型導体Ｆの載置を容易とするように内側に向け下方へ傾く斜面３３Ｂ−１をなし、下面は平型導体Ｆを押えるのに好都合なように平型導体Ｆと平行で水平な下面３３Ｂ−２をなしている。平型導体Ｆが上記載置面３７Ａに向け上方から配されると、該平型導体Ｆは側縁が弾性撓みよって上記斜面３３Ｂ−１で案内されてこれを乗り越えて載置面３７Ａと接面するようになる。載置面３７Ａに載置されると、平型導体Ｆの縁部は上記突起３３Ｂの下面３３Ｂ−２と係止して、上方への浮き上がりが防止される。
【００５６】
＜第三実施形態＞
図６に示される第三実施形態は、ハウジング１０に対して端子２０が前方から挿入されて前方へ延出する接続部２３Ａを有する前方端子２０Ａと、後方から挿入されて横Ｕ字状に後方へ延出する接続部２３Ｂを有する後方端子２０Ｂから成っている点では、基本的に第一及び第二実施形態と同じであるが、端子２０（２０Ａ及び２０Ｂ）そのものが第一及び第二実施形態とは異なっている。第一及び第二実施形態では、端子は細い平帯状の金属片をその板厚方向に屈曲して作られていたが、この第三実施形態では、端子２０は、金属板の平坦な板面を維持して、例えば抜き加工によって外形づけて作られている。したがって、上記接続部２３Ａ，２３Ｂは、回路基板上での高さが第一及び第二実施形態の端子の接続部よりも高くなる。
【００５７】
図６では、スライダ３０が閉位置にあるとき、前方端子２０Ａの接続部２３Ａをスライダ３０の上壁３１と前壁３２とで保護し、後方端子２０Ｂの接続部２３Ｂをスライダ３０の後端部３４、特にその溝部３４Ｂで保護している。
【００５８】
図６の前方端子２０Ａと後方端子２０Ｂは、後方に延びる接触腕２４Ａと、前方に延びる接触腕２４Ｂとをそれぞれ有しており、接触腕２４Ａに突状の接触部２４Ａ−１、接触腕２４Ｂに突状の接触部２４Ｂ−１が形成されていて、上方から平型導体Ｆに接触するようになっている。
【００５９】
スライダ３０には窓状部３５が設けられていて、該窓状部３５内にハウジングを収容することができるので、前方端子２０Ａそして後方端子２０Ｂのいずれもハウジングのスリット１６内で接触部２４Ａ−１，２４Ｂ−１を平型導体Ｆに対して載置面側及びその逆側のいずれからでも、平型導体のいずれの面とも接触させることが可能となる。
【００６０】
＜第四実施形態＞
図７に示される第四実施形態では、スライダ３０にシールド板４０が設けられていることに特徴がある。図１０において、スライダ３０は、その上壁、前壁そして側壁を覆うようなシールド板４０が取り付けられている。図１０の実施形態では、端子の接続部がハウジングの前壁面から前方へ延出しているのみなので、図示のシールド板で十分であるが、もしハウジングの後壁面からも、図１のように、接続部が延出しているときには、この後壁面から延出する接続部を覆うようにスライダの後端部にもシールド板を取り付けることが好ましい。
【００６１】
図７において、シールド板４０はスライダ３０の上面、前面そして側面を覆っている。該シールド板４０の側面部をなす側板部４１には、その上部域に横方向に延び、板厚方向に没したロック溝４２が形成されている。該ロック溝４２はその溝底面（上記側面に平行な面）の前後方向両端位置に、局部的に板厚方向に没したロック部４２Ａ，４２Ｂ（４２Ｂは図に見えていない）が形成されている。一方、ハウジング１０には、金属片から成るロック腕１７が取り付けられていて、該ロック腕１７には、端子配列方向内方に局部的に突出したロック突部１７Ａが形成されている。したがって、ハウジングにより案内されて前後に移動するスライダ３０は、そのシールド板４０が上記ロック溝４２の溝底面で上記ロック腕１７のロック突部１７Ａと、常時接触しつつ、スライダ３０開位置そして閉位置で、該ロック突部１７Ａが前方そして後方のロック部４２Ａ，４２Ｂに係合して、それらの位置のロックを行なう。
【００６２】
図７の形態では、ハウジングの板厚部１２の上壁部分に、上面そして後端部さらには内面にまわり込むグランド端子５０の接触部５１が配置されている。この場合、上記シールド板４０の後縁側をスライダ３０の上壁３１の内面側にまでまわり込むように延長して形成しておけば、上記グランド端子５０の接触部５１は上記シールド板４０のまわり込み部分と摺接するようになり、上記ロック腕１７を経て接地可能となる。
【符号の説明】
【００６３】
１０  ハウジング                ３３  側壁
１１Ａ  載置面                  ３３Ａ  規制側面
１６  挿入空間（スリット）      ３３Ｂ  突起
２０  端子                      ３４  後端部
２０Ａ，２０Ｂ  端子            ３４Ｂ  溝部
２１Ａ  接触部                  ３７Ａ  載置面
２３  接続部                    ３９  係止部
２３Ａ，２３Ｂ  接続部          ４０  シールド板          
３０  スライダ                  Ｆ  平型導体  
３１  上壁                      Ｆ１  被係止部                                
３２  前壁                      Ｐ  回路基板
３２Ｂ  溝部                    
【産業上の利用可能性】
【００６４】
回路基板上に配され、平型導体が接続され、回路基板に半田接続された接続部を使用状態で保護することが求められるコネクタに利用可能である。
【図１】
2010218698.tif 000003
【図２】
2010218698.tif 000004
【図３】
2010218698.tif 000005
【図４】
2010218698.tif 000006
【図５】
2010218698.tif 000007
【図６】
2010218698.tif 000008
【図７】
2010218698.tif 000009